(57)【要約】【課題】内蔵表示部と、拡張装置として付加された拡張表示部との表示状態の制御（例えば、輝度制御）を一元化できる表示装置を提供する。【解決手段】表示部６０と、表示部６０の表示状態を制御する制御部１とを備える表示装置１００において、拡張表示部９０と、制御部１からの信号に基づいて、拡張表示部９０の表示状態を制御する制御信号を出力する制御信号出力部８０とを備え、制御部１を介して、表示部６０及び拡張表示部９０の表示状態を制御する。【選択図】図２
2014052602.tif 000002
【特許請求の範囲】
【請求項１】
表示部と、該表示部の表示状態を制御する制御部とを備える表示装置において、
他の表示部と、
前記制御部からの信号に基づいて、前記他の表示部の表示状態を制御する制御信号を出力する制御信号出力部と
を備えることを特徴とする表示装置。
【請求項２】
前記制御信号出力部は、
前記制御部から、所定レベルの信号を複数受信する第１受信部を有し、
該第１受信部が受信した信号のレベルの組合せに基づいて前記制御信号を出力するように構成されていることを特徴とする請求項１に記載の表示装置。
【請求項３】
前記制御信号出力部は、
前記制御部が前記表示部の制御用に出力した出力制御信号を前記信号として受信する第２受信部を更に有し、
該第２受信部が受信した出力制御信号に基づいて前記制御信号を出力するように構成されていることを特徴とする請求項１又は２に記載の表示装置。
【請求項４】
前記制御信号出力部は、
前記制御部から、前記出力制御信号と同一の制御内容を表す同義出力制御信号を、前記信号として受信する第３受信部を更に有し、
該第３受信部が受信した同義出力制御信号に基づいて前記制御信号を出力するように構成されていることを特徴とする請求項３に記載の表示装置。
【請求項５】
前記制御信号出力部は、
前記第３受信部が、前記第１受信部又は第２受信部の何れかを選択する旨の指示信号を、前記制御部から受信し、
前記第３受信部が受信した指示信号に応じて、前記第１受信部又は第２受信部を選択する選択部を備え、
該選択部の選択結果に基づき、前記第１受信部が受信した信号のレベルの組合せ、又は前記第２受信部が受信した出力制御信号に基づいて前記制御信号を出力するように構成されていることを特徴とする請求項４に記載の表示装置。
【発明の詳細な説明】
【技術分野】
【０００１】
本発明は、表示部と、該表示部の表示状態を制御する制御部とを備える表示装置に関する。
【背景技術】
【０００２】
近年、取り扱う情報量が増加することに伴い、複数のディスプレイを有する電子機器の普及が増えつつある。
【０００３】
例えば、特許文献１には、使用状態に応じて収納及び展開が可能なセカンダリ・ディスプレイと、外部ディスプレイを接続するための複数のディスプレイ端子と、各ディスプレイに画像データを出力するデュアル・モードのＧＰＵとを備え、ＤＶＩポートを、セカンダリ・ディスプレイと外部ディスプレイとで共有するように構成し、セカンダリ・ディスプレイの使用状態の変化に応じて、デマルチプレクサを切り換えるコンピュータが開示されている。
【０００４】
また、特許文献２には、使用状態に応じて収納及び展開が可能なセカンダリ・ディスプレイと、外部ディスプレイまたは外部コンピュータのいずれか一方を接続することができるＤＶＩ端子と、ＧＰＵとを備え、該ＧＰＵがセカンダリ・ディスプレイとＤＶＩ端子とを選択的に接続することにより、セカンダリ・ディスプレイが収納状態から展開状態に移行したときに、ＤＶＩ端子からセカンダリ・ディスプレイまでの信号伝送経路が形成されるコンピュータが開示されている。
【先行技術文献】
【特許文献】
【０００５】
【特許文献１】特開２０１０−１２２５３８号公報
【特許文献２】特開２０１０−１２８０６８号公報
【発明の概要】
【発明が解決しようとする課題】
【０００６】
一方、通常のＧＰＵ(Graphics Processing Unit)は２以上のディスプレイ出力を有しているものの、内蔵ＬＣＤ駆動用出力（ＬＶＤＳ、ｅＤＰ等）は１系統のみであり、残りはＶＧＡ、ＤＶＩ等の外部ディスプレイ用の出力である。そのため、内蔵ＬＣＤはＧＰＵ側から輝度等の制御を直接行うことができるが、ＶＧＡ、ＤＶＩ等の外部出力用インターフェイスはバックライト制御用の端子（信号）が存在していないため輝度等の制御を行うことができず、例えば、制御操作用の外部スイッチを別途設ける等により、ディスプレイ側で制御するしか方法がなかった。  
【０００７】
しかしながら、特許文献１及び特許文献２に係るコンピュータでは、このような問題を解決することはできない。
【０００８】
本発明は、斯かる事情に鑑みてなされたものであり、その目的とするところは、表示部と、該表示部の表示状態を制御する制御部とを備える表示装置において、他の表示部と、前記制御部からの信号に基づいて、前記他の表示部の表示状態を制御する制御信号を出力する制御信号出力部とを備えることにより、例えば、内蔵表示部と、拡張装置として付加された拡張表示部との表示状態の制御（例えば、輝度制御）を前記内蔵表示部の制御部に一元化できる表示装置を提供することにある。
【０００９】
また、本発明の他の目的は、前記内蔵表示部及び拡張表示部の表示状態の制御において、これらの相互連携制御及び／又は個別制御ができる表示装置を提供することにある。
【課題を解決するための手段】
【００１０】
本発明に係る表示装置は、表示部と、該表示部の表示状態を制御する制御部とを備える表示装置において、他の表示部と、前記制御部からの信号に基づいて、前記他の表示部の表示状態を制御する制御信号を出力する制御信号出力部とを備えることを特徴とする。
【００１１】
本発明にあっては、前記制御信号出力部は、前記制御部から信号を受信し、受信した信号に基づいて、前記他の表示部の表示状態を制御（例えば、輝度の制御）する制御信号を出力する。従って、一つの制御部で、複数の表示部の表示状態の制御が可能となる。
【００１２】
本発明に係る表示装置は、前記制御信号出力部は、前記制御部から、所定レベルの信号を複数受信する第１受信部を有し、該第１受信部が受信した信号のレベルの組合せに基づいて前記制御信号を出力するように構成されていることを特徴とする。
【００１３】
本発明にあっては、前記第１受信部を介して前記制御部から所定レベルの信号を複数受信した場合、前記制御信号出力部は、前記第１受信部が受信した信号のレベルの組合せに基づいて前記制御信号を前記他の表示部に出力する。
【００１４】
本発明に係る表示装置は、前記制御信号出力部は、前記制御部が前記表示部の制御用に出力した出力制御信号を前記信号として受信する第２受信部を更に有し、該第２受信部が受信した出力制御信号に基づいて前記制御信号を出力するように構成されていることを特徴とする。
【００１５】
本発明にあっては、前記第２受信部を介して前記信号として前記制御部が出力した前記出力制御信号を受信した場合、前記制御信号出力部は、前記第２受信部が受信した出力制御信号に基づいて前記制御信号を前記他の表示部に出力する。
【００１６】
本発明に係る表示装置は、前記制御信号出力部は、前記制御部から、前記出力制御信号と同一の制御内容を表す同義出力制御信号を、前記信号として受信する第３受信部を更に有し、該第３受信部が受信した同義出力制御信号に基づいて前記制御信号を出力するように構成されていることを特徴とする。
【００１７】
本発明にあっては、前記第３受信部を介して前記信号として前記同義出力制御信号を前記制御部から受信した場合、前記制御信号出力部は、前記第３受信部が受信した同義出力制御信号に基づいて前記制御信号を前記他の表示部に出力する。
【００１８】
本発明に係る表示装置は、前記制御信号出力部は、前記第３受信部が、前記第１受信部又は第２受信部の何れかを選択する旨の指示信号を、前記制御部から受信し、前記第３受信部が受信した指示信号に応じて、前記第１受信部又は第２受信部を選択する選択部を備え、該選択部の選択結果に基づき、前記第１受信部が受信した信号のレベルの組合せ、又は前記第２受信部が受信した出力制御信号に基づいて前記制御信号を出力するように構成されていることを特徴とする。
【００１９】
本発明にあっては、例えば、前記第３受信部が受信した指示信号が前記第１受信部を選択する旨の指示信号である場合、前記選択部によって第１受信部が選択され、前記第１受信部が受信した信号のレベルの組合せに基づいて前記制御信号が前記他の表示部に出力される。また、前記第３受信部が受信した指示信号が前記第２受信部を選択する旨の指示信号である場合、前記選択部によって第２受信部が選択され、前記第２受信部が受信した出力制御信号に基づいて前記制御信号が前記他の表示部に出力される。
【発明の効果】
【００２０】
本発明によれば、例えば、内蔵表示部（表示部）と、拡張装置として付加された拡張表示部（他の表示部）との表示状態の制御（例えば、輝度制御）を前記内蔵表示部の制御部に一元化することができる。
【００２１】
本発明によれば、前記内蔵表示部及び拡張表示部の表示状態の制御において、これらの相互連携制御及び／又は個別制御ができる。
【図面の簡単な説明】
【００２２】
【図１】本発明の実施の形態１に係る複合機の要部構成を示す機能ブロック図である。
【図２】本発明の実施の形態１に係る複合機における、制御部並びに表示部及び拡張表示部の関係を示す機能ブロック図である。
【図３】本発明の実施の形態１に係る複合機において、制御信号出力部が記憶しているＰＷＭ制御テーブルを概念的に表す概念図である。
【図４】本発明の実施の形態２に係る複合機における、制御部並びに表示部及び拡張表示部の関係を示す機能ブロック図である。
【発明を実施するための形態】
【００２３】
以下に、本発明の実施の形態に係る表示装置を、複数種類の機能を有する複合機であって、拡張装置として外付けの表示部（以下、拡張表示部という）を更に有する複合機を例として、図面に基づいて詳述する。
【００２４】
（実施の形態１）
図１は本発明の実施の形態１に係る複合機の要部構成を示す機能ブロック図である。図中、符号１００は、実施の形態１に係る複合機である。
複合機１００は、制御部１と、画像入力部１０と、画像処理部２０と、画像出力部３０と、送受信部４０と、操作パネル５０と、表示部６０と、記憶部７０と、制御信号出力部８０と、拡張表示部９０とを備えている。
【００２５】
画像入力部１０は、読み取り用の原稿に光を照射する光源、ＣＣＤ（Charge Coupled Device）のようなイメージセンサ等を有し、該原稿の画像データの光学的読み取りを行なう。また、画像入力部１０では、所定の読取り位置に載置された原稿からの反射光像を当該イメージセンサに結像させ、ＲＧＢ（R : Red, G : Green, B : Blue）のアナログデータを出力する。
【００２６】
画像処理部２０は、例えば、画像入力部１０から入力されるアナログデータを基にデジタル形式の画像データを生成し、又は記憶部７０に記憶されている画像データを読み出し、夫々の画像の種類に応じた処理を施した後、出力（印刷）すべき画像データを生成する。画像処理部２０によって生成された出力用画像データは、画像出力部３０に出力される。
【００２７】
画像出力部３０は、画像処理部２０から出力される画像データに基づく画像を記録用紙、ＯＨＰフィルム等の記録媒体上に印刷する。画像出力部３０は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像を記録媒体上に転写する転写器等を備えており、例えば、電子写真方式にて画像を記録媒体上に出力する。
【００２８】
送受信部４０は、外部に前記原稿のデータを送受信するネットワークカード、モデム等を備えている。これらを介して、例えば、送受信部４０は外部から所定のデータを受信し、外部に所定のデータを送信する。
【００２９】
また、操作パネル５０は、複合機１００における各種機能を切り替える機能ボタン、テンキー、スタートキー、キャンセルキー、受け付けた指示を確定するためのエンターキー、画像入力部１０を介して読み取った原稿の画像をシート状の記録媒体上に画像形成するための「出力」キー又は「コピー」キー等を備えている。
【００３０】
また、操作パネル５０は、後述するように、表示部６０及び拡張表示部９０の表示状態（例えば、輝度）を制御するための指示を、ユーザから受け付けることができるように構成されている。
【００３１】
表示部６０は、例えば、ＬＣＤ又はＥＬ（Electroluminescence）パネル等からなり、画像出力部３０を介して、所定の記録用紙へ出力（印刷）すべき画像が表示される。また、表示部６０は、複合機１００の状態、ジョブ処理の状況、画像入力部１０が読み取った原稿の画像及び操作パネル５０の操作内容の確認等、利用者に対して報知すべき情報を表示する。
【００３２】
また、拡張表示部９０（他の表示部）も表示部６０と同様の構成を有する。しかし、拡張表示部９０は必要に応じて拡張されたものでおり、デフォルトとして備えられたものでない。
【００３３】
記憶部７０は、例えば、フラッシュメモリ、ＥＥＰＲＯＭ（商標登録）、ＨＤＤ、ＭＲＡＭ（磁気抵抗メモリ）、ＦｅＲＡＭ（強誘電体メモリ）、又は、ＯＵＭ等の不揮発性の記憶媒体により構成されている。
【００３４】
制御部１はＣＰＵ（図示せず）、ＲＯＭ（図示せず）、ＲＡＭ（図示せず）等を備えており、上述した各ハードウェアの制御を行なう。すなわち、ＣＰＵは、ＲＯＭに予め格納されている制御プログラムをＲＡＭ上にロードして実行することによって、上述した各種ハードウェアの制御を行ない、装置全体を本発明の複合機１００として動作させる。
【００３５】
制御信号出力部８０は、制御部１からの指示に応じて、拡張表示部９０の表示状態（例えば、輝度）を制御するための制御信号を出力する。
【００３６】
図２は本発明の実施の形態１に係る複合機１００における、制御部１並びに表示部６０及び拡張表示部９０の関係を示す機能ブロック図である。
【００３７】
制御部１は、ＳＯＣ（System On Chip）１１と、Ｃｈｉｐｓｅｔ１２とを備えている。また、制御部１は、ＬＶＤＳ（Low Voltage Differential Signaling）レシーバ６２及びＬＶＤＳトランシーバ６１を介して、表示部６０と接続されている。更に、制御部１は制御信号出力部８０を介して拡張表示部９０と接続されている。
【００３８】
ＳＯＣ１１は、ＣＰＵ及びＧＰＵ（Graphic Processing Unit）としての機能を有しており、表示部６０と直接的に接続して、表示部６０の表示状態（例えば、輝度）を制御するために、所定信号の出力を行なう。
【００３９】
また、ＳＯＣ１１は、制御信号出力部８０を介して、拡張表示部９０と間接的に接続しており、拡張表示部９０の表示状態の制御に係る所定の信号を制御信号出力部８０に出力する。
【００４０】
以下においては、表示部６０及び拡張表示部９０の表示状態の制御の例として、輝度の制御を例にあげて説明する。
【００４１】
一方、ＳＯＣ１１は、表示部６０に対する出力を行なう出力端子１１１、１１２、１１３と、拡張表示部９０の制御に係る信号を出力する出力端子１１４、１１５とを有している。
【００４２】
ＳＯＣ１１は、表示部６０に表示すべき画像に係る画像データ（ＬＶＤＳ）を出力端子１１１を介してＬＶＤＳレシーバ６２に出力し、出力端子１１２を介して前記ＬＶＤＳに係るクロック信号をＬＶＤＳレシーバ６２に出力する。
【００４３】
ＬＶＤＳレシーバ６２は、例えば、大容量の画像データの入力を受け付け、高速で表示部６０に伝送させるインターフェイスである。ＬＶＤＳレシーバ６２によって受け付けられた画像データ及びクロック信号は、ＬＶＤＳトランシーバ６１に出力される。
【００４４】
ＬＶＤＳトランシーバ６１は、ＬＶＤＳレシーバ６２から入力されたクロック信号及び画像データを複号して差動画像データを表示部６０に出力する。
【００４５】
表示部６０は、ＬＶＤＳトランシーバ６１からの前記差動画像データに基づいて、所定の画像を表示する。
【００４６】
また、ＳＯＣ１１は、出力端子１１３を介して、表示部６０の表示状態を制御するための信号の出力を行なう。以下、斯かる信号を出力制御信号という。また、該出力制御信号は、例えば、表示部６０における輝度制御に係るＰＷＭ制御信号である。
【００４７】
更に、ＳＯＣ１１は、データ線Ａによって表示部６０と接続されており、データ線Ａを介して、前記出力制御信号を表示部６０に出力する。また、データ線Ａは途中で分岐され、一方は、表示部６０と接続し、他方は、制御信号出力部８０と接続されている。すなわち、制御信号出力部８０も前記出力制御信号をＳＯＣ１１から直接受信できるように構成されている。
【００４８】
斯かる構成により、例えば、表示部６０に出力された出力制御信号が、制御信号出力部８０を介して拡張表示部９０にも出力されるので、一回の操作によって、表示部６０及び拡張表示部９０における表示状態（輝度）の制御が出来るうえで、容易に表示部６０及び拡張表示部９０における輝度の整合性を確保できる。
【００４９】
ＳＯＣ１１は、出力端子１１４を介して、例えば、ＤＶＩケーブルを用いて拡張表示部９０と接続されている。ＳＯＣ１１は、出力端子１１４を介して、拡張表示部９０に表示すべき画像に係る画像データ（例えば、ＲＧＢ信号、ＤＶＩ信号）を拡張表示部９０に出力する。
【００５０】
一方、ＳＯＣ１１は、出力端子１１５を介して、Ｃｈｉｐｓｅｔ１２に、拡張表示部９０の表示状態の制御に係る指示信号を出力する。より詳しくは、ＳＯＣ１１が出力する指示信号に基づいて、Ｃｈｉｐｓｅｔ１２は、複数の特定信号を制御信号出力部８０に出力し、斯かる特定信号に応じて、制御信号出力部８０は、拡張表示部９０の輝度を制御するＰＷＭ制御信号を出力する。
【００５１】
Ｃｈｉｐｓｅｔ１２は、例えば、サウスブリッジであり、ＳＯＣ１１からの前記指示信号を受信する入力端子１２１と、制御信号出力部８０への特定信号の出力を行なう出力端子１２２〜１２６とを備えている。
【００５２】
すなわち、Ｃｈｉｐｓｅｔ１２は、ＳＯＣ１１からの指示信号に基づいて、出力端子１２２〜１２５の夫々を介して、所定レベルの信号を制御信号出力部８０に出力する。制御信号出力部８０は、出力端子１２２〜１２５から出力される信号に基づいて、拡張表示部９０にＰＷＭ制御信号を出力する。
【００５３】
このような構成により、拡張表示部９０の表示状態（輝度）の制御において、拡張表示部９０を別度直接操作する必要がなく、表示部６０及び拡張表示部９０の制御に係る操作を制御部１に一元化することが出来る。
また、このような構成により、拡張表示部９０の表示状態（輝度）の制御において、表示部６０とは異なる内容の個別制御を行なうことが出来る。
【００５４】
また、Ｃｈｉｐｓｅｔ１２は、ＳＯＣ１１が表示部６０に対して出力した出力制御信号と同一の制御内容を表す同義出力制御信号を制御信号出力部８０に出力する。すなわち、ＳＯＣ１１からの指示信号に応じて、Ｃｈｉｐｓｅｔ１２は出力端子１２６を介して前記同義出力制御信号を制御信号出力部８０に出力する。この際、制御信号出力部８０は、斯かる同義出力制御信号に基づいて、拡張表示部９０の輝度を制御するＰＷＭ制御信号を出力する。
【００５５】
従って、上述したように、表示部６０及び拡張表示部９０の制御が一元化され、かつ表示部６０及び拡張表示部９０の表示状態（輝度）の整合性を確保できる。
【００５６】
制御信号出力部８０は、例えば、ＣＰＬＤ（Complex Programmable Logic Device）であり、拡張表示部９０の輝度を制御するために、ＰＷＭ制御信号を拡張表示部９０に出力する。
【００５７】
制御信号出力部８０は、データ線Ａに接続されており、データ線Ａを介して前記出力制御信号が入力される入力端子８０１（第２受信部）と、Ｃｈｉｐｓｅｔ１２の出力端子１２２〜１２５からの出力された所定レベルの信号が入力される入力端子８０２（第１受信部）と、Ｃｈｉｐｓｅｔ１２の出力端子１２６から出力された前記同義出力制御信号が入力される入力端子８０４（第３受信部）とを備えている。
【００５８】
制御信号出力部８０は、入力端子８０１を介して前記出力制御信号が入力された場合、該出力制御信号に基づき、拡張表示部９０の輝度を制御するＰＷＭ制御信号を、出力端子８０３を介して拡張表示部９０に出力する。
【００５９】
また、制御信号出力部８０は、入力端子８０２を介して、Ｃｈｉｐｓｅｔ１２から所定レベルの信号が複数入力された場合、これら信号のレベルの組合せに基づき、拡張表示部９０の輝度を制御するＰＷＭ制御信号を、出力端子８０３を介して拡張表示部９０に出力する。
【００６０】
制御信号出力部８０には、入力端子８０２を介して受信した信号のレベルの組合せを、ＰＷＭ値（デューティ値（％））に対応づけたＰＷＭ制御テーブルを記憶している。図３は本発明の実施の形態１に係る複合機１００において、制御信号出力部８０が記憶しているＰＷＭ制御テーブルを概念的に表す概念図である。
【００６１】
例えば、Ｃｈｉｐｓｅｔ１２の出力端子１２２〜１２５から出力される信号を夫々、ＰＷＭ０〜ＰＷＭ３であるとした場合、ＰＷＭ制御テーブルには、ＰＷＭ０〜ＰＷＭ３に係るレベルの組合せが、拡張表示部９０に出力すべきＰＷＭ値（デューティ値（％））に対応づけて記憶されている。
【００６２】
従って、制御信号出力部８０は、入力端子８０２を介して、所定レベルの信号が複数入力された場合、前記ＰＷＭ制御テーブルを参照してこれら信号のレベルの組合せに対応するＰＷＭ制御信号を拡張表示部９０に出力する。
【００６３】
また、制御信号出力部８０は、入力端子８０４を介して、前記同義出力制御信号が入力された場合、該同義出力制御信号に基づき、拡張表示部９０の輝度を制御するＰＷＭ制御信号を、出力端子８０３を介して拡張表示部９０に出力する。
【００６４】
一方、ＳＯＣ１１から出力された、拡張表示部９０に表示すべき画像に係る画像データ（例えば、ＲＧＢ信号、ＤＶＩ信号）は、スケーラーＩＣ９１を介して拡張表示部９０に出力される。
【００６５】
スケーラーＩＣ９１は、ＳＯＣ１１から出力されたＲＧＢ信号及びＤＶＩ信号を受信して、拡張表示部９０に表示すべき画像に係る画像データ（ＬＶＤＳ）と、該ＬＶＤＳに係るクロック信号に変換して拡張表示部９０に出力する。
【００６６】
本発明は、以上に記載したような構成を有するので、通常、ＧＰＵのようなプロセッサが１つの内蔵表示部の制御に制限されるという問題を解決出来る。
【００６７】
（実施の形態２）
本発明の実施の形態２に係る複合機１００は、実施の形態１に係る複合機１００と略同様の構成を有するが、制御信号出力部８０における構成にて相違する。
【００６８】
図４は本発明の実施の形態２に係る複合機１００における、制御部１並びに表示部６０及び拡張表示部９０の関係を示す機能ブロック図である。
【００６９】
制御部１は、ＳＯＣ１１と、Ｃｈｉｐｓｅｔ１２とを備えている。また、制御部１は、ＬＶＤＳレシーバ６２及びＬＶＤＳトランシーバ６１を介して、表示部６０と接続されており、制御信号出力部８０を介して拡張表示部９０と接続されている。ＳＯＣ１１、ＬＶＤＳレシーバ６２及びＬＶＤＳトランシーバ６１は実施の形態１と同様であり、詳しい説明を省略する。
【００７０】
また、ＳＯＣ１１が出力した、拡張表示部９０に表示すべき画像に係る画像データ（例えば、ＲＧＢ信号、ＤＶＩ信号）を受信して、画像データ（ＬＶＤＳ）と、該ＬＶＤＳに係るクロック信号に変換するスケーラーＩＣ９１を更に備えており、スケーラーＩＣ９１は実施の形態１と同様であり、詳しい説明を省略する。
【００７１】
一方、Ｃｈｉｐｓｅｔ１２は、制御信号出力部８０の入力端子８０１又は入力端子８０２のうち、何れかを選択する旨の指示信号（以下、選択指示信号という）を出力する。
【００７２】
例えば、表示部６０と拡張表示部９０との輝度制御の際、ユーザが操作パネル５０を適宜操作して、整合した輝度制御を指示した場合、入力端子８０１を選択する指示として受け付けられ、斯かる旨がＣｈｉｐｓｅｔ１２に指示される。
【００７３】
一方、ユーザが操作パネル５０を適宜操作して、個別の輝度制御を指示した場合、入力端子８０２を選択する指示として受け付けられ、斯かる旨がＣｈｉｐｓｅｔ１２に指示される。
【００７４】
このようなＳＯＣ１１からの指示信号に応じて、Ｃｈｉｐｓｅｔ１２は、出力端子１２６を介して、前記選択指示信号を制御信号出力部８０に出力する。制御信号出力部８０は、斯かる選択指示信号に基づき、入力端子８０１又は入力端子８０２を選択し、選択された入力端子からの信号に基づいて、拡張表示部９０の輝度を制御するＰＷＭ制御信号を出力する。
【００７５】
制御信号出力部８０は、例えば、ＣＰＬＤであり、拡張表示部９０の輝度を制御するために、ＰＷＭ制御信号を拡張表示部９０に出力する。
【００７６】
制御信号出力部８０は、データ線Ａに接続されており、データ線Ａを介して前記出力制御信号が入力される入力端子８０１（第２受信部）と、Ｃｈｉｐｓｅｔ１２の出力端子１２２〜１２５から出力された所定レベルの信号が入力される入力端子８０２（第１受信部）と、Ｃｈｉｐｓｅｔ１２の出力端子１２６から出力された前記選択指示信号が入力される入力端子８０４（第３受信部）とを備えている。
【００７７】
更に、制御信号出力部８０は、入力端子８０４を介して入力される前記選択指示信号に基づいて、入力端子８０１又は入力端子８０２を選択する選択部８０５を備えている。制御信号出力部８０は、選択部８０５によって選択された入力端子を介して入力される信号に基づいて、拡張表示部９０の輝度を制御するＰＷＭ制御信号を拡張表示部９０に出力する。
【００７８】
例えば、入力端子８０４を介して入力された選択指示信号が、入力端子８０１を選択する旨のものである場合、選択部８０５が入力端子８０１を選択する。この際、制御信号出力部８０は、入力端子８０１を介して入力される出力制御信号に基づき、拡張表示部９０の輝度を制御するＰＷＭ制御信号を、出力端子８０３を介して拡張表示部９０に出力する。一方、入力端子８０２を介して所定レベルの信号が複数入力された場合は、斯かる信号を無効にする。
【００７９】
また、入力端子８０４を介して入力された選択指示信号が、入力端子８０２を選択する旨のものである場合、選択部８０５が入力端子８０２を選択する。制御信号出力部８０は、入力端子８０２を介して所定レベルの信号が複数入力された場合、前記ＰＷＭ制御テーブルを参照してこれら信号のレベルの組合せに対応するＰＷＭ制御信号を拡張表示部９０に出力する。一方、入力端子８０１を介して出力制御信号が入力された場合は、斯かる信号を無効にする。
【００８０】
以上のように、実施の形態２に係る複合機１００は、表示部６０及び拡張表示部９０における輝度の制御において、相互整合させる制御又は相互異にする制御を必要に応じて、選択的に行なうことができる。
【００８１】
実施の形態１と同様の部分については、同一の符号を付して詳細な説明を省略する。
【符号の説明】
【００８２】
１  制御部
５０  操作パネル
６０  表示部
９０  拡張表示部
８０  制御信号出力部
１００  複合機
８０１  入力端子
８０２  入力端子
８０４  入力端子
８０５  選択部
【図１】
2014052602.tif 000003
【図２】
2014052602.tif 000004
【図３】
2014052602.tif 000005
【図４】
2014052602.tif 000006